(57)【要約】【課題】外部機器を接続することにより、画像形成装置を診断工程が複数に別れている場合であっても、各工程における作業効率を効率良くかつ適切に行うことができる画像形成装置等を実現する。【解決手段】複数の構成部が動作することで入力される画像をデータとして処理し、画像を形成する画像形成装置において、構成部を選択的に動作させ、当該構成部の状態を診断し、診断部により診断された構成部の状態を出力し、診断する構成部を特定する診断情報を記憶した外部記憶装置と接続を検出した場合に、外部記憶装置から診断情報を読み出し、読み出された診断情報に基づいて、該当する構成部の状態を診断する。【選択図】図１
2015203716.tif 000002
【特許請求の範囲】
【請求項１】
複数の構成部が動作することで入力される画像をデータとして処理し、画像を形成する画像形成装置において、
前記構成部を選択的に動作させ、当該構成部の状態を診断する診断部と、
前記診断部により診断された構成部の状態を出力する出力部と、
前記診断部において診断する構成部を特定する診断情報を記憶した外部記憶装置と接続をする接続部と、
前記接続部が前記外部記憶装置の接続を検出した場合に、前記外部記憶装置から診断情報を読み出す読み出し部と、
を備え、
前記診断部は、前記読み出された診断情報に基づいて、該当する構成部の状態を診断することを特徴とする画像形成装置。
【請求項２】
前記外部記憶装置には、トリガ情報が更に記憶されており、
前記読み出し部は、前記外部記憶装置にトリガ情報が記憶されている場合のみ、前記診断情報を読み出すことを特徴とする請求項１に記載の画像形成装置。
【請求項３】
前記診断情報には、調整データが含まれており、
前記診断部が診断した構成部の診断結果と、前記読み出された診断情報の調整データとから、当該構成部を調整する調整部を更に備えることを特徴とする請求項１又は２に記載の画像形成装置。
【請求項４】
複数の構成部が動作することで入力される画像をデータとして処理し、画像を形成する画像形成装置における診断方法において、
前記構成部を選択的に動作させ、当該構成部の状態を診断する診断ステップと、
前記診断ステップにより診断された構成部の状態を出力する出力ステップと、
前記診断ステップにおいて診断する構成部を特定する診断情報を記憶した外部記憶装置と接続をする接続ステップと、
前記接続ステップが前記外部記憶装置の接続を検出した場合に、前記外部記憶装置から診断情報を読み出す読み出しステップと、
を含み、
前記診断ステップは、前記読み出された診断情報に基づいて、該当する構成部の状態を診断することを特徴とする画像形成装置の診断方法。
【発明の詳細な説明】
【技術分野】
【０００１】
本発明は、複数の構成部が動作することで入力される画像をデータとして処理し、画像を形成する画像形成装置等に関する。
【背景技術】
【０００２】
複数の構成部品、構成ユニットから組み上がられた画像形成装置は、各構成品が所定の動作、役割を果たすことで画像の入力から出力、形成まで完成することとなっている。そのために各構成部の連携、タイミング、それぞれの動作が保証されることが重要であり、各ユニットを組み上げて完成させる生産工程では、様々な調整、動作確認が行われている。
【０００３】
そのような中で、従来の画像形成装置では、自己診断機能を搭載させ、目的のユニットの動作確認や調整を操作パネルのキー群を使って指示している。また、この自己診断機能を有効にして自己診断モードに移行させるためには、操作パネルのキー群を所定の順序で操作するなどして通常の画像形成状態から自己診断状態に切り替える等している。
【０００４】
例えば、特許文献１には、自己診断モードにおいて複数の動作を順次実行させる内容が開示されており、特許文献２には、操作パネルのタッチ画面にブロックパターンを押圧することにより、その押圧したパターンに応じて動作が実行される内容が開示されている。
【先行技術文献】
【特許文献】
【０００５】
【特許文献１】特開２００５−７７６９０号公報
【特許文献２】特開２０１１−１５９２４５号公報
【発明の概要】
【発明が解決しようとする課題】
【０００６】
しかし、このような操作方法では、１台という少ない装置であれば操作パネルを操作して対応することは可能であるが、生産工程においては数多くの装置において実行する必要がある。数多くの装置に対して毎回同じ操作をしなければならず、作業として大変であるという課題が生じていた。
【０００７】
とくに、最近、デジタル複合機等の画像形成装置は、多機能化、性能向上が進んでおり、調整項目、設定項目が増えてきており、これらの多くの装置に対応するとなると更に作業効率が落ちてしまうという課題が生じていた。
【０００８】
上述した課題に鑑み、本発明は外部機器を接続することにより、画像形成装置を診断工程が複数に別れている場合であっても、各工程における作業効率を効率良くかつ適切に行うことができる画像形成装置等を実現することを目的としている。
【課題を解決するための手段】
【０００９】
上述した課題に鑑み、本発明の画像形成装置は、
複数の構成部が動作することで入力される画像をデータとして処理し、画像を形成する画像形成装置において、
前記構成部を選択的に動作させ、当該構成部の状態を診断する診断部と、
前記診断部により診断された構成部の状態を出力する出力部と、
前記診断部において診断する構成部を特定する診断情報を記憶した外部記憶装置と接続をする接続部と、
前記接続部が前記外部記憶装置の接続を検出した場合に、前記外部記憶装置から診断情報を読み出す読み出し部と、
を備え、
前記診断部は、前記読み出された診断情報に基づいて、該当する構成部の状態を診断することを特徴とする。
【００１０】
本発明の画像形成装置における診断方法は、
複数の構成部が動作することで入力される画像をデータとして処理し、画像を形成する画像形成装置における診断方法において、
前記構成部を選択的に動作させ、当該構成部の状態を診断する診断ステップと、
前記診断ステップにより診断された構成部の状態を出力する出力ステップと、
前記診断ステップにおいて診断する構成部を特定する診断情報を記憶した外部記憶装置と接続をする接続ステップと、
前記接続ステップが前記外部記憶装置の接続を検出した場合に、前記外部記憶装置から診断情報を読み出す読み出しステップと、
を含み、
前記診断ステップは、前記読み出された診断情報に基づいて、該当する構成部の状態を診断することを特徴とする。
【発明の効果】
【００１１】
本発明によれば、外部記憶装置の接続を検出した場合に、診断情報を読み出し、読み出された診断情報に基づいて構成部の状態を診断することが可能となる。したがって、例えば、必要に応じて予め外部記憶装置に診断する診断機能を記述しておくことで、効率良く行えることが出来るようになる、
【図面の簡単な説明】
【００１２】
【図１】第１実施形態における画像形成装置の全体を示す図である。
【図２】第１実施形態における画像形成装置及び外部メモリの概略を示す図である。
【図３】第１実施形態における画像形成装置及び外部メモリの機能構成を説明するための図である。
【図４】第１実施形態における自己診断機能について説明するための図である。
【図５】第１実施形態における自己診断機能について説明するための図である。
【図６】第１実施形態における処理の流れを説明するための動作フローである。
【図７】第１実施形態における動作例を説明するための図である。
【図８】第２実施形態における処理の流れを説明するための動作フローである。
【図９】第３実施形態における画像形成装置及び外部メモリの機能構成を説明するための図である。
【図１０】第３実施形態における処理の流れを説明するための動作フローである。
【図１１】第４実施形態における画像形成装置及び外部メモリの概略を示す図である。
【図１２】第５実施形態における画像形成装置及び外部メモリ（携帯端末装置）の概略を示す図である。
【図１３】第６実施形態における画像形成装置及び外部メモリ（携帯端末装置）の概略を示す図である。
【図１４】第７実施形態における画像形成装置及び外部メモリの機能構成を説明するための図である。
【図１５】第７実施形態における処理の流れを説明するための動作フローである。
【図１６】第８実施形態における処理の流れを説明するための動作フローである。
【発明を実施するための形態】
【００１３】
以下、図面を参照して本発明を実施するための最良の形態について説明する。なお、本実施形態は、発明を理解するためのものであり、発明の内容が実施形態に限定されないことは勿論である。
【００１４】
［１．第１実施形態］
［１．１  全体構成］
まず、第１実施形態について説明する。図１は、本実施形態の画像形成装置１０と、外部記憶装置である外部メモリ２０を模式的に示した図である。
【００１５】
外部メモリ２０は、本実施形態では、ＵＳＢメモリを利用して説明するが、例えばメモリカード（ＳＤカード（登録商標）、ｍｉｃｒｏ  ＳＤカード、コンパクトフラッシュ（登録商標）等）であっても良いし、ＨＤＤ、ＳＳＤ等の外部の記憶装置で有れば良い。
【００１６】
図２は、本実施形態の動作概略を説明する為の図である。画像形成装置１０は、各動作部（例えば原稿搬送部や、排紙部、プリンタ部、第１給紙部等）が含まれている。夫々の動作部には、モータ（図２におけるＭ）が含まれている場合がある。
【００１７】
これらの動作部やモータが正常に動作するか否かを判断する診断プログラムが実行される。この診断プログラムが実行されるために、トリガとしてＵＳＢメモリ（外部メモリ２０）が利用される。
【００１８】
すなわち、画像形成装置１０のＵＳＢポートに、ＵＳＢメモリが装着されると、ＵＳＢメモリにトリガファイルが記憶されているか否かを検出する。もし、トリガファイルがＵＳＢメモリに記憶されている場合には、画像形成装置１０において診断プログラムが実行される。このとき、ＵＳＢメモリに調整情報が記憶されていれば、調整情報に基づいて診断プログラムを実行したり、各固有値を調整したりする。
【００１９】
このように、本実施形態によれば、ＵＳＢメモリ等の外部メモリ２０をトリガとして、画像形成装置１０の診断プログラムを実行することができる。また、診断プログラムは複数実行させる必要があるが、その実行順序等を外部メモリ２０に記述することで、検査者が操作入力を行う事無く、自動で実行されるという効果もある。
【００２０】
［１．２  機能構成］
続いて、画像形成装置１０及び外部メモリ２０の機能構成について図３を用いて説明する。
【００２１】
図３に示すように、画像形成装置１０は、制御部１１０と、画像形成部１２０と、記憶部１３０と、出力部１４０と、操作表示部１５０と、通信部１６０とを備えて構成されている。
【００２２】
制御部１１０は、画像形成装置１０の全体を制御するための機能部である。制御部１１０は、記憶部１３０に記憶されている各種プログラムを読み出して実行することにより各種機能を実現しており、例えばＣＰＵ（Central Process Unit）等により構成されている。
【００２３】
画像形成部１２０は、入力された画像から画像を形成し、出力するための機能部である。例えば、帯電方式にて画像を形成するレーザ方式、インクジェットにより画像を形成するインクジェット方式等の出力装置等から構成されており、記録紙に画像を形成し出力することができる。また、出力部１４０に出力することにより、例えばＦＡＸや、ＮＡＳ等の他の装置・サーバに画像データを出力することも可能となる。
【００２４】
記憶部１３０は、画像形成装置１０の動作に必要な各種プログラムや、各種データが記憶されている機能部である。記憶部１３０は、例えば、半導体メモリや、ＨＤＤ（Hard Disk Drive）等により構成されている。
【００２５】
また、記憶部１３０には、診断プログラム１３２と、診断結果格納領域１３４と、履歴情報１３６と、固有調整値情報１３８とが記憶されている。
【００２６】
診断プログラム１３２は、画像形成装置１０における自己診断機能を実現するためのプログラムが記憶されている。診断プログラムは、複数の診断が実行可能である。例えば、動作する箇所、機能部等毎に診断が可能であり、また同じ動作部であっても、診断する箇所が異なることで異なる自己診断機能が実行される。
【００２７】
ここで、自己診断機能について、図４、図５を用いて説明する。これらの自己診断機能は、生産管理の環境で実行されるものである。例えば、画像形成装置１０を製造するときに自己診断機能が実行されたり、リファービッシュ処理のときに実行されたりする。
【００２８】
図４に示すように、本実施形態では、全部で２０個の自己診断機能が実行される。ここで、自己診断機能毎に異なるプログラムを実行させても良いし、一つのプログラムにおいてモジュールとして実行させても良い。また、複数のプログラム、複数のモジュールという形で組み合わせても良い。すなわち、自己診断機能が実行されれば、プログラムの格納形式は問わない。
【００２９】
例えば、図４（ａ）の標準的な工程の場合、工程Ｉにおいて自己診断機能１〜４（ｓｉｍ−（１）〜ｓｉｍ−（４））、工程ＩＩにおいて自己診断機能５〜８（ｓｉｍ−（５）〜ｓｉｍ−（８））、工程ＩＩＩにおいて自己診断機能９〜１２（ｓｉｍ−（９）〜ｓｉｍ−（１２））、工程ＩＶにおいて自己診断機能１３〜１６（ｓｉｍ−（１３）〜ｓｉｍ−（１６））、工程Ｖにおいて自己診断機能１７〜２０（ｓｉｍ−（１７）〜ｓｉｍ−（２０））が実行される。
【００３０】
ここで、工程については生産管理の現場の状況に応じて変更となる場合がある。例えば、生産台数が減少したことにより、図４（ｂ）に示すように作業工数が変更され、工程全体が減る場合もある。また、生産台数が増加したことにより、図４（ｃ）に示すように作業工数が変更され、工程全体が増える場合もある。
【００３１】
また、図５（ａ）に示すように、実行する自己診断機能が増加することもあれば、図５（ｂ）に示すように実行する自己診断機能が減少することもある。更に、作業工程に係る時間と、診断機能との見直しから、ラインのバランスをとる処理を実行することも考えられる。
【００３２】
このような場合であっても、本実施形態においては、調整情報に基づいて適切に診断機能が実現されるようになる。
【００３３】
診断結果格納領域１３４は、診断プログラム１３２が実行されたことにより出力される診断結果が格納される（記憶される）領域である。自己診断結果は、記憶部１３０において一度記憶された後、操作表示部１５０に表示しても良いし、他の装置・サーバに送信しても良い。また、外部メモリ２０に記憶しても良い。
【００３４】
履歴情報１３６は、画像形成装置１０における各種履歴が記憶されている情報である。例えば、診断プログラム１３２が各種診断を実行するときに、履歴情報１３６を参照することにより、正確に各動作部の状態について診断を行うことが可能となる。
【００３５】
固有調整値情報１３８は、固有調整値が記憶されている。ここで、固有調整値とは、例えば画像形成装置における転送ローラの速度、転写ユニットの温度、各種ファンの回転速度といった、装置固有の情報である。
【００３６】
この値は、例えば画像形成装置１０において、工場出荷時に調整されたり、設置場所においてサービスマンが調整したりする値である。
【００３７】
出力部１４０は、画像データを出力するための機能部である。上述した画像形成部１２０で生成された画像データを、電気通信回線を通じてＦＡＸに送信（出力）したり、ＮＡＳ等といった他の装置に送信したりする。
【００３８】
操作表示部１５０は、画像形成装置１０に対して各種操作入力を行ったり、利用者に各種情報を表示したり、動作を選択するための画面を表示したりするための機能部である。例えば、操作する機構としてハードウェアキー、表示する機構として液晶ディスプレイを別に備えても良いし、操作機構と表示機構とをタッチパネルとして一体に形成しても良い。
【００３９】
通信部１６０は、他の装置と通信を行う為のインタフェース部である。本実施形態ではＵＳＢポートにより実現されており、この通信部１６０を介して外部メモリ２０が装着される。なお、通信インタフェースとしては、ＵＳＢポートに限られず、ＩＥＥＥ１３９４やＮＦＣといった近距離無線通信等のインタフェースや、イーサネット（登録商標）や、３Ｇ回線、ＬＴＥ回線といったネットワークインタフェースであっても良い。
【００４０】
外部メモリ２０は、画像形成装置１０に接続・装着可能な記憶装置である。本実施形態の場合はＵＳＢポートに装着するメモリ（ＵＳＢメモリ）を一例として説明する。なお、それ以外にもＨＤＤやＳＳＤといった他の記憶装置であっても良いし、メモリカード、ＩＣカード、ＮＦＣ等といったものでもよい。
【００４１】
外部メモリ２０には、トリガファイル２０２と、診断情報として、診断スクリプト２０４と、調整データ２０６とが記憶されている。この外部メモリ２０に記憶される情報は、実施形態によって変化するものであり、必ずしも総てが記憶されている必要は無い。
【００４２】
診断スクリプト２０４は、診断プログラム１３２が実行されるときに参照されるファイルである。診断スクリプトは、例えば図４、図５で説明した診断機能における実行順序がスクリプトファイルで記述されている。この診断スクリプト２０４に基づいて、診断機能の実行順序等を予め記述しておくことにより、自動的に診断機能を順次実行することが可能となる。
【００４３】
なお、便宜的にスクリプトと表現しているが、例えばテキストファイルやＣＳＶファイルで単純に記述してもよいし、ＸＭＬやＨＴＭＬ等といったもので記述しても良い。また、診断プログラム１３２が参照出来れば良く、バイナリファイルで記述されても良い。
【００４４】
［１．３  処理の流れ］
続いて、本実施形態における処理について図４を用いて説明する。外部メモリ２０が装着されたことを検出すると（ステップＳ１０２；Ｙｅｓ）、外部メモリ２０にトリガファイル２０２が存在するか否かを判定する（ステップＳ１０４）。トリガファイル２０２が存在しなければ、単純にＵＳＢメモリを利用すると判定し、外部メモリ２０のファイルを操作する外部メモリモードに遷移する（ステップＳ１０４；Ｎｏ）。
【００４５】
次に、トリガファイル２０２が存在していた場合には（ステップＳ１０４；Ｙｅｓ）、自己診断モードが実行される（ステップＳ１０６）。ここで、自己診断モードは、画像形成装置１０が、診断プログラム１３２を実行することによって実現される。
【００４６】
このとき、外部メモリ２０から、診断スクリプト２０４が存在するか否かを判定する（ステップＳ１０８）。もし、診断スクリプト２０４が存在しない場合には、自己診断コードの入力処理が実行される。すなわち、診断スクリプト２０４が存在しない場合は従来通り検査者が手動操作にて自己診断機能を選択して実行する（ステップＳ１０８；Ｎｏ）。
【００４７】
他方、診断スクリプト２０４が存在する場合には、診断スクリプトに基づく診断が開始される（ステップＳ１１０）。
【００４８】
診断スクリプトに基づき診断機能が実行後、自己診断結果を出力する（ステップＳ１１２）。例えば、自己診断結果に基づいたコードや、内容、対応策が操作表示部１５０に表示される。また、診断結果を診断結果格納領域１３４に記憶したり、他の装置に送信してもよい。
【００４９】
ここで、自己診断結果に異常がある場合は、状態を表示する（ステップＳ１１６）。このとき、どのように調整するか指示入力を受け付けても良い。
【００５０】
ステップＳ１１０において実行された自己診断結果に異常が無い場合、又はステップＳ１１６において異常が解消した場合には、再度外部メモリ２０をスキャンし、診断スクリプトが他に無いか確認する（ステップＳ１１８）。
【００５１】
ここで、外部メモリ２０に更に他の診断スクリプトが記憶されている場合には、その診断スクリプトに基づいて診断機能を実行する（ステップＳ１２０；Ｙｅｓ→ステップＳ１１０）。
【００５２】
外部メモリ２０に記憶されている診断スクリプト２０４を総て読み出した後は、本処理を終了し、一つの工程が終了する。
【００５３】
［１．４  実施例］
続いて、本実施形態における実施例を図７を用いて説明する。図７は検査工程を説明している図である。図７のタイミングｔ１、ｔ２、ｔ３、ｔ４と、複数の工程に別れて診断機能を実行している。
【００５４】
ここで、例えば最後のタイミングｔ４において、外部メモリ２０を装着すると、このタイミングｔ４における工程における診断機能を実行する。例えば、表示画面Ｗ１００として、既に実行された診断結果と、現在実行中の診断状況が表示されている。
【００５５】
検査者はこれにより画像形成装置において、問題のある箇所、無い箇所を判断することができる。更に、実行される診断機能を診断スクリプト２０４に記載することにより、各工程において検査者が選択することなく自動的に診断機能が実行されることになる、
また、診断スクリプト２０４に診断機能が予め記述されているため、診断機能の手順を間違えたり、実行し忘れたりするといったことを防止することも可能となる。
【００５６】
［２．第２実施形態］
続いて第２実施形態について説明する。第２実施形態は、異常がある場合に調整まで行う場合について説明する。
【００５７】
ここで、第２実施形態における装置構成は第１実施形態と同様であるため、説明を省略する。また、第２実施形態の処理（図８の処理フロー）において、第１実施形態の図６の処理と同一の処理については同一の符号を付してその説明を省略する。
【００５８】
診断スクリプトに基づいて自己診断機能が実行された後、異常があったと判定された場合には（ステップＳ２０２；Ｙｅｓ）、診断機能のエラーに対応する調整データ２０６があるか否かを判定する（ステップＳ２０４）。
【００５９】
ここで、調整データ２０６がある場合には、調整データ２０６に基づいて調整処理を実行する（ステップＳ２１０）。
【００６０】
他方、調整データが無い場合には（ステップＳ２０４；Ｎｏ）、自己診断結果を表示する（ステップＳ２０６）。ここで、調整データの入力があった場合には（ステップＳ２０８；Ｙｅｓ）、調整データに基づいて調整処理を実行する（ステップＳ２１０）。
【００６１】
ステップＳ２０２において異常なしと判定された後（ステップＳ２０２；Ｎｏ）、調整データに基づいて調整処理が実行された後又はステップＳ２０８において調整データの入力が無かった場合（ステップＳ２０８；Ｎｏ）、更に診断スクリプトがあるか否かを判定する（ステップＳ２１２）。
【００６２】
診断スクリプトが更に外部メモリ２０に記憶されている場合には、続けて自己診断機能を実行し（ステップＳ２１２；Ｙｅｓ→ステップＳ１１０）、記憶されていない場合には、処理を終了する（ステップＳ２１２；Ｎｏ）。
【００６３】
［３．第３実施形態］
続いて第３実施形態について説明する。第３実施形態は、外部メモリ２０に診断スクリプトではなく、診断プログラム自体が記憶されている実施形態について説明する。
【００６４】
第３実施形態の装置構成を図９に、処理の一例を図１０に示す。なお、第１実施形態、第２実施形態と同一の構成要素、同一の処理については同一の符号を付すことにより、説明を省略する。
【００６５】
装置構成としては、診断プログラム１３２が記憶部１３０に記憶されておらず、外部メモリ２２に診断プログラム２５２が記憶されている。また、外部メモリ２２に診断プログラム２５２が記憶されていることから、診断スクリプト２０４が記憶されていない。
【００６６】
図１０は、第３実施形態における処理の一例である。自己診断モードを実行する場合に、診断プログラムが外部メモリ２２から読み込み可能か否かを判定する（ステップＳ３０２）。診断プログラムが記憶されていなければ、他処理を実行する（ステップＳ３０２；Ｎｏ）。
【００６７】
診断プログラム２５２が外部メモリ２２に記憶されている場合には（ステップＳ３０２；Ｙｅｓ）、診断プログラム２５２を読み出して実行する（ステップＳ３０４）。
【００６８】
そして、診断プログラム２５２が外部メモリ２２に記憶されている間は、処理を繰り返し実行する（ステップＳ３０６；Ｙｅｓ→ステップＳ３０４）。
【００６９】
なお、図１０は、第２実施形態の動作フローとの差異について説明したが、例えば第１実施形態のフローに基づいて説明出来ることは勿論である。この場合、ステップＳ１０８がステップＳ３０２、ステップＳ１１０がＳ３０４、ステップＳ１２０がステップＳ３０６に置き換えることにより実行可能である。
【００７０】
［４．第４実施形態］
続いて、第４実施形態について説明する。第４実施形態は、図１１に示すように、画像形成装置１０を、画像形成装置１２に置き換えた構成である。
【００７１】
すなわち、画像形成装置１０にあるように、原稿搬送部を設けていなくても良い。例えば、プリンタ等の画像形成装置においても同様に自己診断プログラムを実行することにより、同一の効果を奏することとなる。
【００７２】
［５．第５実施形態］
続いて、第５実施形態について説明する。第５実施形態は、図１２に示すように、外部メモリ２０としてＵＳＢメモリではなく、携帯端末装置３０を用いた実施形態について説明する。
【００７３】
具体的には、携帯端末装置３０にトリガファイル及び診断情報を記憶する。そして、携帯端末装置３０と、画像形成装置１０とが接続されることにより、自己診断機能が実行される。
【００７４】
ここで、携帯端末装置３０と、画像形成装置１０との接続には、例えばＮＦＣ等の近距離無線通信が用いられる。例えば、画像形成装置１０に設けられたＮＦＣ受信部に携帯端末装置３０のＮＦＣ通信部をタッチすることにより、トリガファイルの情報がやり取りされる。また、必要に応じて診断情報が携帯端末装置３０から、画像形成装置１０に送信されてもよい。
【００７５】
なお、上述した実施形態では画像形成装置１０と、携帯端末装置３０との通信にＮＦＣを利用しているが、例えばＢｌｕｅｔｏｏｔｈ（登録商標）や、赤外線通信、ＺｉｇＢｅｅ（登録商標）、ＵＳＢ、ワイヤレスＵＳＢといった種々の通信方式を用いて接続可能である。
【００７６】
［６．第６実施形態］
続いて、第６実施形態について説明する。第６実施形態は、携帯端末装置３０がネットワークにおいて認証を行う実施形態である。図１３は、本実施形態の概略について示している。
【００７７】
すなわち、画像形成装置１０は、携帯端末装置３０のトリガファイルを検出した後、携帯端末装置３０は、ネットワークＮＷを介してサーバ４０から診断情報を受信する。このとき、例えば携帯端末装置３０から画像形成装置１０の情報をサーバ４０に送信することにより、画像形成装置１０に応じた診断情報を受信することが可能となる。
【００７８】
なお、携帯端末装置３０はトリガファイルを記憶していなくてもよい。例えば、画像形成装置１０が、ＮＦＣにおける識別情報（例えば、ＦｅｌｉｃａチップにおけるＩＤｍ等）を利用する。すなわち、予め登録された識別情報のＮＦＣと通信されることにより、トリガファイルを検出したのと同様に動作させることが可能となる。
【００７９】
このように本実施形態によれば、診断情報等を携帯端末装置３０に予め記憶する必要が無い。更に、画像形成装置１０毎に診断情報を記憶する必要がなく、生産ラインで新しい機種が生産される場合でも容易に対応することが可能となる。
【００８０】
また、携帯端末装置３０が盗難にあったり、紛失したりした場合であっても、診断情報が含まれていないためセキュリティを確保することができる。
【００８１】
［７．第７実施形態］
続いて、第７実施形態について説明する。第７実施形態は、自己診断モードに遷移する場合に、一度認証処理を実行する実施形態である。
【００８２】
第７実施形態の装置構成を図１４に、処理の一例を図１５に示す。なお、第１実施形態と同一の構成要素、同一の処理については同一の符号を付すことにより、説明を省略する。
【００８３】
第７実施形態における外部メモリ２４について、図１４を用いて説明する。外部メモリ２４は、トリガファイル２０２と、診断スクリプト２０４と、調整データ２０６と、認証情報２６２とが記憶されている。
【００８４】
認証情報２６２は、画像形成装置１０が自己診断機能を実行するときに、外部メモリ２４（外部メモリ２４に記憶されている情報）が正しいものであるか否かを判定するために利用されるものである。
【００８５】
具体的には、図１５の処理を用いて説明する。外部メモリ２４が検出されると（ステップＳ１０２；Ｙｅｓ）、認証情報が外部メモリに存在するか否かを判定する（ステップＳ４０２）。ここで、認証情報が存在する場合には（ステップＳ４０２；Ｙｅｓ）、認証処理を実行する（ステップＳ４０４）。
【００８６】
ここで、認証処理は、種々の方法が考えられるが、外部メモリ２４に記憶されている認証情報２６２が正しいか否かを確認することによって認証を行う。例えば、トリガファイル２０２に対応づけて記憶されているハッシュ値と、認証情報２６２にハッシュ値とが一致するか否かで認証を行ったり、認証情報２６２に記憶されている内容が正しいか否かを確認したりすることで認証を行う。
【００８７】
認証が正しく行われた場合（ステップＳ４０６；Ｙｅｓ）、トリガファイル２０２が有るか否かを判定する（ステップＳ１０４）。なお、ステップＳ１０４以降の処理は、他の実施形態と同様である。なお、ステップＳ１０４は、ステップＳ４０２の前に実行されても良い。
【００８８】
また、認証情報２６２が存在しない場合（ステップＳ４０２；Ｎｏ）、認証情報２６２が存在したが正しく認証が出来なかった場合（ステップＳ４０６；Ｎｏ）は、他モードへ遷移する。すなわち、自己診断機能は実行されない。
【００８９】
このように、本実施形態によれば、認証が正しく行われた場合だけ自己診断機能が実行されることになる。これにより、例えば生産工程毎に認証情報２６２を定めておくことにより、本来の生産工程と異なる自己診断機能が実行されるといったこと（手順間違え）を防ぐことが可能となる。
【００９０】
また、正規メーカー以外の第三者が自己診断機能を悪用するといったことを防止することが可能となる。
【００９１】
［８．第８実施形態］
つづいて第８実施形態について説明する。第８実施形態は、第７実施形態から更にセキュリティレベルを高くした実施形態である。
【００９２】
第８実施形態の処理の一例を図１６に示す。なお、第１実施形態と同一の処理については同一の符号を付すことにより、説明を省略する。また、装置構成は、第７実施形態と同様であるため、説明を省略する。なお、第８実施形態における外部メモリ２４に記憶されている情報は暗号化した状態で記憶されている。
【００９３】
まず、外部メモリ２４が検出されると（ステップＳ１０２；Ｙｅｓ）、認証情報２６２が存在するか否かを判定する（ステップＳ５０２）。ここで、認証情報２６２が存在すると判定された場合には（ステップＳ５０２；Ｙｅｓ）、認証キーの入力を促す（ステップＳ５０４）。
【００９４】
ここで、検査者により認証キーが入力されると（Ｓ５０４）、認証処理が実行される（Ｓ５０６）。ここで認証処理としては、例えば認証キーに対応するパスワード等が認証情報２６２に含まれていても良いし、画像形成装置１０に記憶されていても良い。また、ハッシュ値を利用して認証する等としてもよい。
【００９５】
正しく認証出来た場合には（ステップＳ５０８；Ｙｅｓ）、外部メモリ２４のデータを復号する（ステップＳ５１０）。そして、その中からトリガファイル２０２が存在するか否かを判定する（ステップＳ１０４）。なお、ステップＳ１０４以降の処理は、他の実施形態と同様である。
【００９６】
また、認証情報２６２が存在しない場合（ステップＳ５０２；Ｎｏ）、正しく認証が行われなかった場合（ステップＳ５０８；Ｎｏ）は、他モードへ遷移する。すなわち、自己診断機能は実行されず、外部メモリ２４のデータも復号されない。
【００９７】
このように、本実施形態によれば、外部メモリ２４のデータは暗号化された状態で記憶されており、正しく認証されないと自己診断機能が実行出来ないだけなく、外部メモリ２４に記憶されている情報についても参照出来ないこととなる。したがって第三者に内容を閲覧されたり、改竄されたりといったことを防ぐことが可能となる。
【００９８】
［９．効果］
このように、各実施形態によれば、外部メモリや、携帯端末装置を接続することにより、生産ライン等の各工程において、自己診断機能を随時実行することが可能となる。
【００９９】
とくに、従来の様に、画像形成装置の自己診断機能を動作させる場合、通常の操作で簡単に機能が動作可能となってしまうと、調整値や設定値を変更されてしまい、逆に安定した動作が保証されないという問題があった。
【０１００】
そのため、解りやすい簡単な動作で自己診断機能が動作可能となることがないよう、複数のキーを所定の順序で操作させたり、タッチパネルの所定の位置を所定の順序でタッチ操作させるなどの配慮を行っていた。
【０１０１】
そのため、生産ラインにおける限られた工程時間内に所定の操作をもって自己診断機能を動作可能にするとともに、所定の検査工程を実行させるとなると、検査者が大変であるという課題が生じていた。
【０１０２】
また、生産ラインの各工程において、モードを一時解除すると、生産ラインの次の工程においては、再度の自己診断機能を動作可能にする所定の操作が必要となり、生産ライン全体でも作業効率の影響を与えてしまうという問題点があった。
【０１０３】
このような課題を、本実施形態では、外部メモリに記憶されたトリガファイル、診断情報（診断スクリプト）を利用することにより、課題を解決している。例えば、工程毎に外部メモリを用意し、各工程で実行する自己診断機能を診断情報に記述しておく。
【０１０４】
画像形成装置は、診断情報に基づいて、各診断機能を動作させることにより、手順に間違えなく、かつ、効率良く生産ラインを動作させることができる。
【０１０５】
［１０．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１０６】
１０  画像形成装置
１１０  制御部
１２０  画像形成部
１３０  記憶部
１３２  診断プログラム
１３４  診断結果格納領域
１３６  履歴情報
１３８  固有調整値情報
１４０  出力部
１５０  操作表示部
１６０  通信部
２０  外部メモリ
２０２  トリガファイル
２０４  診断スクリプト
２０６  調整データ
【図２】
2015203716.tif 000003
【図３】
2015203716.tif 000004
【図４】
2015203716.tif 000005
【図５】
2015203716.tif 000006
【図６】
2015203716.tif 000007
【図７】
2015203716.tif 000008
【図８】
2015203716.tif 000009
【図９】
2015203716.tif 000010
【図１０】
2015203716.tif 000011
【図１１】
2015203716.tif 000012
【図１２】
2015203716.tif 000013
【図１３】
2015203716.tif 000014
【図１４】
2015203716.tif 000015
【図１５】
2015203716.tif 000016
【図１６】
2015203716.tif 000017
【図１】
2015203716.tif 000018